(57)【要約】      （修正有）【課題】流体吐出装置ユニットの流体吐出装置が被固定部材から取り外されるにあたり、ボウル部ユニットが取り外されなくてもよく作業性が良い便器装置を提供する。【解決手段】ボウル部１１およびリムを有するボウル部ユニット１を備える。ボウル部１１内に向けて流体を吐出する流体吐出部を突没自在に前方に突出させる流体吐出装置４と、流体吐出装置４が固定される被固定部材５と、を有する流体吐出装置ユニット３を備える。流体吐出装置４の前部がリムの後部の下側に位置する状態でボウル部ユニット１と流体吐出装置４とが連結される。流体吐出装置４の被固定部材５への固定部がリムの後部よりも後側に位置する。【選択図】図１
2015010323.tif 000002
【特許請求の範囲】
【請求項１】
ボウル部およびリムを有するボウル部ユニットと、
前記ボウル部内に向けて流体を吐出する流体吐出部を突没自在に前方に突出させる流体吐出装置と、前記流体吐出装置が固定される被固定部材と、を有する流体吐出装置ユニットと、
を備え、
前記流体吐出装置の前部が前記リムの後部の下側に位置する状態で前記ボウル部ユニットと前記流体吐出装置とが連結される便器装置であって、
前記流体吐出装置の前記被固定部材への固定部が前記リムの前記後部よりも後側に位置することを特徴とする便器装置。
【請求項２】
前記被固定部材に、後側に開放されて後側より前記流体吐出部の前記前部が挿入可能で、挿入された前記前部の移動を規制する規制部が設けられることを特徴とする請求項１記載の便器装置。
【請求項３】
前記被固定部材に、前記流体吐出部を前側に付勢する付勢部が設けられることを特徴とする請求項１または２記載の便器装置。
【発明の詳細な説明】
【技術分野】
【０００１】
本発明は、ボウル部およびリムを有するボウル部ユニットと、流体を吐出する流体吐出装置を有する流体吐出装置ユニットとが連結される便器装置に関するものである。
【背景技術】
【０００２】
従来より、ボウル部およびリムを有するボウル部ユニットと、流体を吐出する流体吐出装置を有する流体吐出装置ユニットとが連結される便器装置が知られている（例えば、特許文献１参照）。
【０００３】
この従来例の便器装置は、図５、図６に示すように、前パーツ１（ボウル部ユニット）と、局部洗浄ノズル４１（流体吐出部）を突没自在に前方に突出させる局部洗浄装置４（流体吐出装置）を有する後パーツ３（流体吐出装置ユニット）とを備えている。前パーツ１には、リム２の後部２１（図３（ｂ）等参照）よりも前側の位置に局部洗浄ノズル４１がボウル部１１内に突没するために挿通される開口部２３（図３（ｂ）等参照）が形成されている。なお、図５中の符号１３は起倒自在にリム２上に載置される便座である。
【先行技術文献】
【特許文献】
【０００４】
【特許文献１】特開２００８−９５４６０号公報
【発明の概要】
【発明が解決しようとする課題】
【０００５】
このような従来の便器装置にあっては、図６に示すように、局部洗浄装置４の前部４２に形成された固着具挿通孔４８（図４参照）に、ビスからなる固着具４９が挿通される。そして、後パーツ３において局部洗浄装置４が固定される被固定部材５としての装置ケース５０に、固着具４９が螺着されて、局部洗浄装置４が被固定部材５に固定されるものであった。
【０００６】
また、局部洗浄装置４の前部４２は、局部洗浄ノズル４１が前方のボウル部１１内に突没自在となるように、開口部２３に近接して配置される。このため、局部洗浄装置４の前部４２は、前パーツ１のリム２の後部２１の下側に位置する状態となっていた。
【０００７】
この従来の便器装置にあっては、局部洗浄装置４が装置ケース５０から取り外される際、前パーツ１のリム２の後部２１の下側に位置する固着具４９が取り外される必要があった。しかしながら、これにあたっては、前パーツ１が取り外されなければ、固着具４９が取り外されないため、前パーツ１の取り外し作業、および、局部洗浄装置４が取り付けられた後の前パーツ１の取り付け作業が必要となり、作業性が悪いものであった。
【０００８】
本発明は上記従来の問題点に鑑みて発明したものであって、その目的とするところは、流体吐出装置ユニットの流体吐出装置が被固定部材から取り外されるにあたり、ボウル部ユニットが取り外されなくてもよく作業性が良い便器装置を提供することにある。
【課題を解決するための手段】
【０００９】
上記課題を解決するために、本発明の便器装置は、以下のような構成とする。
【００１０】
ボウル部およびリムを有するボウル部ユニットと、前記ボウル部内に向けて流体を吐出する流体吐出部を突没自在に前方に突出させる流体吐出装置と、前記流体吐出装置が固定される被固定部材と、を有する流体吐出装置ユニットと、を備え、前記流体吐出装置の前部が前記リムの後部の下側に位置する状態で前記ボウル部ユニットと前記流体吐出装置とが連結される便器装置であって、前記流体吐出装置の前記被固定部材への固定部が前記リムの前記後部よりも後側に位置することを特徴とする。
【００１１】
また、前記被固定部材に、後側に開放されて後側より前記流体吐出部の前記前部が挿入可能で、挿入された前記前部の移動を規制する規制部が設けられることが好ましい。
【００１２】
また、前記被固定部材に、前記流体吐出部を前側に付勢する付勢部が設けられることが好ましい。
【発明の効果】
【００１３】
本発明の便器装置にあっては、流体吐出装置ユニットにおける、流体吐出装置の被固定部材への固定部が、ボウル部ユニットのリムの後部よりも後側に位置するため、被固定部材から局部洗浄装置が取り外される際、ボウル部ユニットが取り外されなくてもよくて、作業性が良い。
【図面の簡単な説明】
【００１４】
【図１】本発明の一実施形態の便器装置を示し、（ａ）は上カバーを除いた平面図であり、（ｂ）は流体吐出装置の後端部付近の後斜め上方より見た斜視図である。
【図２】同上における流体吐出装置の前部付近の前斜め上方より見た斜視図である。
【図３】便器装置の外観を示し、（ａ）は平面図であり、（ｂ）は便座を除いた前斜め上方より見た斜視図である。
【図４】同上における流体吐出装置の前斜め上方より見た斜視図である。
【図５】従来例における便器装置の上カバーを除いた平面図である。
【図６】同上における後パーツの上カバーを除いた平面図である。
【発明を実施するための形態】
【００１５】
本発明の便器装置は、ボウル部１１およびリム２を有するボウル部ユニットと、ボウル部１１内に向けて流体を吐出する流体吐出部を突没自在に前方に突出させる流体吐出装置と、前記流体吐出装置が固定される被固定部材５と、を有する流体吐出装置ユニットと、を備え、前記流体吐出装置の前部４２がリム２の後部２１の下側に位置する状態で前記ボウル部ユニットと前記流体吐出装置とが連結される便器装置であって、前記流体吐出装置の被固定部材５への固定部がリム２の後部２１よりも後側に位置することを特徴とする。
【００１６】
また、被固定部材５に、後側に開放されて後側より前記流体吐出部の前部４２が挿入可能で、挿入された前部４２の移動を規制する規制部が設けられることが好ましい。
【００１７】
また、被固定部材５に、前記流体吐出部を前側に付勢する付勢部７４が設けられることが好ましい。
【００１８】
以下、本発明の一実施形態について添付図面に基いて説明する。
【００１９】
便器装置は、図３に示すように、ボウル部１１およびリム２を有するボウル部ユニットと、流体吐出装置を有する流体吐出装置ユニットとを備えるものである。本実施形態では、ボウル部ユニットは、ボウル部１１およびリム２を有する便器本体１０と、スカート部１２とを備える前パーツ１で構成されている。また本実施形態では、図１（ａ）に示すように、起倒自在にリム２上に載置される便座１３を備えている。また、流体吐出装置ユニットは、流体吐出装置としての局部洗浄装置４と、上カバー３１と、リアスカート（不図示）と、左右のサイドスカート３２と、を備える後パーツ３で構成されている。また、本実施形態の便器装置は、更に、前パーツ１と後パーツ３を支持する支持フレーム（不図示）を備えている。
【００２０】
なお、本実施形態では、流体吐出装置ユニットの主体を構成する局部洗浄装置４（流体吐出装置）が、ボウル部ユニットの主体を構成するボウル部１１の後側に位置しているため、ボウル部ユニットが前パーツ１、流体吐出装置ユニットが後パーツ３となっている。しかし、ボウル部ユニットが前パーツ１、流体吐出装置ユニットが後パーツ３でなくてもよく、ボウル部ユニットと流体吐出装置の前後位置関係は特に限定されない。
【００２１】
便器本体１０は、ボウル部１１と、ボウル部１１の上端開口縁の全周にわたって形成されたリム２を備えており、リム２の上面２０は便座載置面となる。ボウル部１１の底部の後部には回動自在な排水筒部（不図示）が設けられる。ボウル部１１とリム２は、本実施形態では合成樹脂で形成されるもので、一体に成形されてもよいし、別々に成形された後、溶着や接着により接合されてもよい。また、スカート部１２も合成樹脂で形成され、便器本体１０と一体に成形されてもよいし、便器本体１０とは別に成形された後、溶着や接着により接合されてもよい。また、スカート部１２は、便器本体１０に対して着脱自在に取り付けられてもよい。
【００２２】
なお、本実施形態では便器本体１０とスカート部１２とで前パーツ１が構成されているが、スカート部１２はなくてもよい。また、ボウル部１１とリム２とスカート部１２は、合成樹脂以外の材料で形成されてもよい。リム２については後で詳述する。
【００２３】
後パーツ３は、図１、図２に示すように、前端部に、局部洗浄装置４を載置する装置ケース５０を備えている。装置ケース５０は、本実施形態では、前方および上方に開放される略箱状をしたもので、その前端縁は図示しないが略垂直な平面内に位置し、正面視略Ｕ字状をしている。この装置ケース５０が、局部洗浄装置４（流体吐出装置）が固定される被固定部材５となる。局部洗浄装置４は、局部洗浄ノズル４１と、図示しないが、局部洗浄ノズル４１を駆動する駆動手段と、駆動手段を制御する制御部と、を備えている。局部洗浄ノズル４１は、流体をボウル部１１内に吐出する流体吐出部となるもので、本実施形態では水道等の水源に接続され、流体として水を吐出するものである。また、局部洗浄ノズル４１としては、おしり洗浄ノズル、ビデ洗浄ノズルが挙げられる。なお、局部洗浄ノズル４１の他に、流体吐出部として、おしり洗浄ノズルまたはビデ洗浄ノズルを洗浄するノズル洗浄ノズルを備えていてもよい。
【００２４】
駆動手段として、局部洗浄ノズル４１を進退させるモータが設けられてもよい。また、駆動手段として、水源としての水道との連通および遮蔽を切り替える電磁弁を備え、水道と連通させて水道圧により局部洗浄ノズル４１を前進させたり、水道から遮蔽してばね等の付勢手段により局部洗浄ノズル４１を後退させるものでもよい。駆動手段としては他の手段でもよく、特に限定されない。
【００２５】
制御部は、マイクロコンピュータ等からなり、駆動手段を制御して、局部洗浄ノズル４１の進退と、局部洗浄ノズル４１からの流体の吐出と停止を切り替えるものである。また、局部洗浄ノズル４１として複数のノズルを備えている場合には、各ノズル毎に駆動可能な駆動手段を備え、制御部は任意のノズルを駆動させるように制御する。
【００２６】
上記のような局部洗浄装置４のうち局部洗浄ノズル４１が、後パーツ３の前端部の装置ケース５０に載置されて固定される。局部洗浄ノズル４１は、前進することで装置ケース５０から前方に突出し、後退することで装置ケース５０から突出しない状態となる。なお、最も後退した状態で装置ケース５０から若干突出していてもよい。
【００２７】
また、本実施形態では、図示しないが、装置ケース５０の後方に、送風ダクト、貯湯タンク、送水用ポンプ等の機能部品が設置される。また、装置ケース５０の側方に、温風供給用の温風ファンが設置されている。
【００２８】
後パーツ３を構成する上カバー３１、リアスカート、左右のサイドスカート３２は、本実施形態では合成樹脂で形成され、着脱自在に組み合わせられる。なお、上カバー３１、リアスカート、左右のサイドスカート３２はなくてもよい。また、上カバー３１、リアスカート、左右のサイドスカート３２、装置ケース５０は、合成樹脂以外の材料で形成されてもよい。
【００２９】
図３（ｂ）に示すように、前パーツ１には、リム２の後部２１の上面に、後方へ行く程上方に位置する立ち上がり壁２２が設けられるものである。この立ち上がり壁２２により、リム２の上面を伝って水が後パーツ３の方へ浸入するのが防止される。
【００３０】
そして、リム２の後部２１の前側のボウル部１１内に面する部分に、流体吐出部（局部洗浄ノズル４１）がボウル部１１内に突没するために挿通される開口部２３が形成されるものである。更に本実施形態においては、リム２の後部２１の開口部２３の左右に隣接して、温風が吐出される開口部２４が形成されており、温風ファンにより開口部２４を介して温風が吐出可能である。
【００３１】
上記便器装置にあっては、図１（ａ）に示すように、局部洗浄装置４の前部４２（図２参照）が、リム２の後部２１の下側に位置する状態で、前パーツ１と後パーツ３とが連結されるものである。後パーツ３は、支持フレームにネジからなる固着具（不図示）により固定されるが、嵌合により支持フレーム（不図示）に固定されてもよい。支持フレームに固定された後パーツ３に、前方より前パーツ１が装着されて、前パーツ１がネジからなる固着具（不図示）により固定される。
【００３２】
被固定部材５としての装置ケース５０には、局部洗浄装置４の前部４２が後側より挿入されてその移動を規制する規制部が設けられる。図２に示すように、規制部は、前部４２の前方への移動を規制する前規制部５３と、前部４２の左右の側方への移動を規制する横規制部５４と、前部４２の上方への移動を規制する上規制部５５と、を備えている。局部洗浄装置４には、前部４２に左右両側に突出する平板状をした嵌入片４４が設けられる。そして、嵌入片４４の前側に位置する前規制部５３により、嵌入片４４の前方への移動が規制される。また、嵌入片４４の左右両側に位置する横規制部５４により、嵌入片４４の左右両側への移動が規制される。また、嵌入片４４の上側に位置する上規制部５５により、嵌入片４４の上側への移動が規制される。また、局部洗浄装置４の前部４２の下方への移動は、装置ケース５０により規制される。
【００３３】
なお、本実施形態では、嵌入片４４には、従来利用されていた固着具挿通孔４８が形成されており、上記従来の便器装置へも固定可能である。
【００３４】
そして、図１（ａ）に示すように、局部洗浄装置４の被固定部材５への固定部４３（図１（ｂ）参照）が、リムの後部２１（図３（ｂ）参照）よりも後側に位置するものである。本実施形態では、局部洗浄装置４の後端部に、縦長のリブ状をした固定部４３が設けられ、装置ケース５０に固定部４３を押える押さえ部材７が設けられる。押さえ部材７は、装置ケース５０に取り付けられる被取付部７１と、被取付部７１から前側に突出する挿入溝形成部７２とで形成され、挿入溝形成部７２に挿入溝７３が設けられる。押さえ部材７は、被取付部７１に形成される固着孔（不図示）に、ビス等からなる固着具５２が挿通され、装置ケース５０に形成されたボス孔を有する取付部５１に固着具５２が螺着されることで、装置ケース５０に固定される。固定部４３は、装置ケース５０に固定された押さえ部材７の挿入溝７３の後端部に押さえられ、局部洗浄装置４の後側への移動が規制される。このように、局部洗浄装置４の前部４２が被固定部材５に対して移動が規制されるため、局部洗浄ノズル４１が突没しても、局部洗浄装置４の前部４２の位置がずれることがなく、局部洗浄ノズル４１からの水と吐出が安定する。
【００３５】
上記便器装置にあっては、局部洗浄装置４の前部４２は、前パーツ１のリム２の後部２１の下側に位置する状態であっても、局部洗浄装置４の被固定部材５への固定部４３が、前パーツ１のリム２の後部２１よりも後側に位置する。このため、装置ケース５０から局部洗浄装置４が取り外される際、前パーツ１が取り外されなくてもよくて、作業性が良いものである。
【００３６】
また、本実施形態では、挿入溝７３の後端部に、固定部４３を前側に付勢する付勢部７４が設けられる。付勢部７４が設けられることにより、局部洗浄装置４が後方にずれることが抑えられる。
【符号の説明】
【００３７】
１    前パーツ
１０  便器本体
１１  ボウル部
１２  スカート部
１３  便座
２    リム
２０  上面
２１  後部
２２  立ち上がり壁
２３  開口部
２４  開口部
３    後パーツ
３１  上カバー
３２  サイドスカート
４    局部洗浄装置
４１  局部洗浄ノズル
４２  前部
４３  固定部
４４  嵌入片
４８  固着具挿通孔
４９  固着具
５    被固定部材
５０  装置ケース
５１  取付部
５２  固着具
５３  前規制部
５４  横規制部
５５  上規制部
７    押さえ部材
７１  被取付部
７２  挿入溝形成部
７３  挿入溝
７４  付勢部
【図１】
2015010323.tif 000003
【図２】
2015010323.tif 000004
【図３】
2015010323.tif 000005
【図４】
2015010323.tif 000006
【図５】
2015010323.tif 000007
【図６】
2015010323.tif 000008